(57)【要約】【課題】グループモードで仕分けされた印刷物をコピーしようとしたとき、ユーザーが手作業で各部から１枚ずつ抜き取り、これを原稿としてＤＦにセットしてコピーしていた。必要に応じて、再びこの原稿を元のところへ戻す必要があった。このように手作業の面倒な作業をおこなっていた。【解決手段】原稿となるコピー物の構成を入力することにより、全ての原稿をＤＦにセットして読み取らせても、必要な原稿しか読み取らないので、上記課題は解決する。【選択図】    図８
2004180210.tif 000002
【特許請求の範囲】
【請求項１】
ＤＦ部と、画像読み取り部と、操作表示部と、画像メモリを有するスキャナ装置において、
複数枚からなる原稿の構成を入力する原稿構成入力手段と、上記複数枚からなる原稿の構成に基づき、上記原稿の必要なページを読み取り１組の画像データを生成する読み取り制御手段と、を有することを特徴とするスキャナ装置。
【請求項２】
上記複数枚からなる原稿の構成は、原稿がグループモードで印刷されたものであることを特徴とする請求項１に記載のスキャナ装置。
【請求項３】
原稿の構成は、原稿がグループであることと、１グループの枚数を入力することにより設定されることを特徴とする請求項２に記載のスキャナ装置。
【請求項４】
ＤＦ部と、画像読み取り部と、操作表示部と、画像メモリを有する画像形成装置において、
複数枚からなる原稿の構成を入力する原稿構成入力手段と、上記原稿を読み取った画像データを再構成して出力するときの印刷物の構成を入力する印刷物構成入力手段と、上記複数枚からなる原稿の構成と印刷物の構成に基づき、上記原稿の必要なページを読み取る読み取り制御手段と、上記複数枚からなる原稿の構成と印刷物の構成に基づき、上記読み取られた画像を印刷するプリント制御手段と、を有することを特徴とする画像形成装置。
【請求項５】
上記複数枚からなる原稿の構成は、原稿がグループモードで印刷されたものであることを特徴とする請求項４に記載の画像形成装置。
【請求項６】
原稿の構成は、原稿がグループであることと、１グループの枚数を入力することにより設定されることを特徴とする請求項５に記載の画像形成装置。
【発明の詳細な説明】
【０００１】
【発明の属する技術分野】
本発明は、ＤＦ（ドキュメントフィーダー）を有する、スキャナ装置、複写機、ファクシミリ、複合装置などに関する。
【０００２】
【従来の技術】
従来のＤＦを有するスキャナ装置、複写機、ファクシミリ、複合装置は、原稿が各ページが１枚づつ順番に並んだものを読み取ることを想定している。せいぜい両面原稿か２イン１原稿かを設定する程度であった。しかし、原稿束は必ずしもそのようなものばかりではなく、プリンタからプリントアウトしたものでグループモードで仕分け処理された印刷物を原稿として用いる場合がある。このときにはユーザーが各グループから１枚づつを取り出して１部の原稿をセットして読み取っていた。例えば図８に示すように、１ページにつき３枚づつ４ページ分出力された原稿を読み取る場合は、手作業で各グループから１枚づつ抜き取り、４枚の原稿としたものを用意する必要があった。
【０００３】
【発明が解決しようとする課題】
ところが上記手作業は面倒なものであり、グループモードで印刷された原稿もそのままＤＦにセットして読み取りたいものである。本願はこのような問題を解決することを目的とする。
【０００４】
【課題を解決するための手段】
上記のような問題を解決するために本願第１の発明は、ＤＦ部と、画像読み取り部と、操作表示部と、画像メモリを有するスキャナ装置において、複数枚からなる原稿の構成を入力する原稿構成入力手段と、上記複数枚からなる原稿の構成に基づき、上記原稿の必要なページを読み取り１組の画像データを生成する読み取り制御手段と、を有することを特徴とするスキャナ装置を用いる。
【０００５】
本願第２の発明は、上記複数枚からなる原稿の構成は、原稿がグループモードで印刷されたものであることを特徴とする第１の発明に記載のスキャナ装置を用いる。
【０００６】
本願第３の発明は、原稿の構成は、原稿がグループであることと、１グループの枚数を入力することにより設定されることを特徴とする第２の発明に記載のスキャナ装置を用いる。
【０００７】
本願第４の発明は、ＤＦ部と、画像読み取り部と、操作表示部と、画像メモリを有する画像形成装置において、複数枚からなる原稿の構成を入力する原稿構成入力手段と、上記原稿を読み取った画像データを再構成して出力するときの印刷物の構成を入力する印刷物構成入力手段と、上記複数枚からなる原稿の構成と印刷物の構成に基づき、上記原稿の必要なページを読み取る読み取り制御手段と、上記複数枚からなる原稿の構成と印刷物の構成に基づき、上記読み取られた画像を印刷するプリント制御手段とを有することを特徴とする画像形成装置を用いる。
【０００８】
本願第５の発明は、上記複数枚からなる原稿の構成は、原稿がグループモードで印刷されたものであることを特徴とする第４の発明に記載の画像形成装置を用いる。
【０００９】
本願第４の発明は、原稿の構成は、原稿がグループであることと、１グループの枚数を入力することにより設定されることを特徴とする第５の発明に記載の画像形成装置を用いる。
【００１０】
【作用】
本願第１の発明は、複数枚からなる原稿の構成を入力することにより、内容の重複する画像を読み取ることなく１組の画像データを得ることができる。
【００１１】
本願第２の発明は、複数枚からなる原稿の構成はグループであるので、同一ページのグループは読み取らない。
【００１２】
本願第３の発明は、第２の発明においては、グループの構成は、グループであることと１グループの枚数のみを入力するだけで良い。
【００１３】
本願第４の発明は、複数枚からなる原稿の構成を入力することにより、内容の重複する画像を読み取ることなく１組の印刷物を得ることができる。
【００１４】
本願第５の発明は、複数枚からなる原稿の構成はグループであるので、同一ページのグループは読み取らない。
【００１５】
本願第６の発明は、第２の発明においては、グループの構成は、グループであることと１グループの枚数のみを入力するだけで良い。
【００１６】
【実施例】
本願発明を採用する複合装置を図１の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作表示部１０、スキャナ用Ｉ／Ｆ１１、スキャナ部１２、ＤＦ１３、バッファーメモリ１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００１７】
詳しくは、前記ＣＰＵ２は当該画像形成装置１の各構成を制御しており、各種プログラムを記憶した前記ＲＯＭ３、ユーザーチョイスデータ、設定情報、トータルカウントデータ、各種フォントデータなどを記憶した前記ＲＡＭ４に接続されている。本願発明の各請求項に記載されている、読み取り制御手段、プリント制御手段などは、このＲＯＭ３に記憶されたプログラムである。
【００１８】
メール作成手段５は、スキャナ部１２で読み取られた画像データを、予め登録した相手先へメールに添付して送信するときのメールを作成する手段である。
【００１９】
前記プリンタコントローラ６は、接続されたパソコンから送信され、バッファメモリ１４の受信領域に格納されているプリントコマンドやジョブ情報を解析し、中間言語情報を生成するものである。この中間言語情報はバッファメモリ１４の中間言語情報記憶領域に格納される。
【００２０】
前記プリンタ部７は、ビットマップメモリ１５に展開されている画像データを順次このプリンタ部７の作像部のＬＳＵ又はＬＰＨなどの潜像を書き込む装置に送り、この作像部でトナー像を形成し、これを給紙カセットから順次給紙、搬送される用紙に転写し、定着、排紙される。
【００２１】
前記後処理装置用Ｉ／Ｆ８と前記後処理装置９は、複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００２２】
前記操作表示部１０は、操作キー、ＬＣＤ表示部などから構成されている。この画像形成装置は複合装置なので操作表示部はコピー機能画面、プリンタ機能画面、ファクシミリ機能画面、スキャナ機能画面を切り替え可能である。この複合装置１はコピーの使用頻度が高いことから、図２に示すように通常の待機時には操作表示部１０はコピー機能の画面となっている。図示しない他の画面の状態のときからであってもコピー機能選択キーを選択するとこの画面に切り替わる。この基本画面の下にある画面の一部であるタブを選択すると、ユーザー機能、機能リスト、プログラム機能の各画面に切り替えることができる、本願の発明の原稿構成などを選択、入力する画面は、機能リストに複数ある機能キーのうちの１つを選択することにより、その画面となる。詳細は後述することにする。
【００２３】
スキャナＩ／Ｆ１１は、この複合装置１の上に置かれたスキャナ部１２とケーブルを介して接続し、このスキャナ部１２とＤＦ１３を制御するためのインターフェースである。
【００２４】
前記スキャナ部１２は、ＤＦ１３で１枚づつフィードされる、又は１枚をコンタクトガラス上に置いた原稿にハロゲンランプで光を当てその反射光をＣＣＤセンサで読み取り、このアナログ信号をＡ／Ｄ変換でデジタル信号に変換し画像処理部で画像処理をして後段のビットマップメモリ１５に展開していく。このビットマップメモリ１５は、前記スキャナ部１２からの画像データの他ネットワークなどを介して接続されたパソコンから転送されてくるプリントコマンドを前記プリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００２５】
前記バッファメモリ１４は、上述した受信画像領域や中間言語領域の他、通常メモリコピーやファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
【００２６】
前記モデム１７は、公衆回線１９から送信されてくるアナログ信号をデジタル信号に変換し、また逆にデジタル信号をアナログ信号に変換して公衆回線で送信するためのものである。前記ＮＣＵ１８は、公衆回線への接続、ファクシミリと電話の切り替え、回線へのオンフック信号の送出、リング検出などを行う。
【００２７】
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。
【００２８】
バス２１は、上述した各構成のデータや信号のやり取りを行うバスである。それぞれ画像データ用のバスや制御信号用のバスがあるが、ここでは略して１つで表している。
【００２９】
次に本願発明を採用する複合装置１の操作表示部１０の一例を図３〜図５を用いて説明する。図３は図２の基本画面から機能リスト画面に切り替えた画面である。中央には本願発明の機能である、「原稿構成」の機能設定キーがある。このキーを操作すると、図４の「原稿構成」の基本画面に切り替わる。この画面の左にある選択キーから原稿の構成を選択する。
【００３０】
グループを選択すると、図５に示すように、画面中央には１部あたりの枚数を入力する画面が現れるとともに、その右には各部ごとに合紙されていないかを選択する画面が現れる。ユーザーはこれに従い原稿の構成を選択、入力する。ソートを選択すると、図６に示すように、画面中央には１部あたりのページ数を入力する画面が現れるとともに、その右には各部ごとに合紙されていないかを選択する画面が現れる。ここでは合紙のみを選択しているが、表紙やウラ表紙の有無なども選択できるようにするのも良い。ユーザーはこれに従い原稿の構成を選択、入力する。上記グループとソートは同時に選択できないので、どちらかを選択すると、一方の設定はキャンセルされるか、又は後優先の制御となる。
【００３１】
上記設定がされて、コピー部数や、後処理などその他の設定がされてプリントキーが押されたあとの処理フローを図７に基づき説明する。
【００３２】
まず、原稿構成の選択がなされたかを判断し（Ｓ１０１）、設定されていなければ順次原稿を読み取り（Ｓ１０２）、この画像をその他の設定に従い出力して（Ｓ１０３）処理は終了する。Ｓ１０１で設定なしが選択されていない場合は、ソートを選択しているかを判断し（Ｓ１０４）、されていれば、画面から入力されたページ数（＝Ｐ）だけ原稿を読み取り、他の原稿は搬送、排出のみ行い（Ｓ１０５）、この画像をその他の設定に従い出力して（Ｓ１０３）処理は終了する。
【００３３】
Ｓ１０４でソートを選択していない場合は、グループを選択しているかを判断し（Ｓ１０６）、されていなければＳ１０１に戻り、選択されていれば合紙があるかを判断し（Ｓ１０７）、合紙ありとされていれば原稿の区切りに合紙があるので、画面から入力された１部の枚数（＝Ｎ）に１加算した数をＭとする（Ｓ１０８）。Ｓ１０７で合紙が無ければそのまま次のステップに進む。続いてｎ＝１をセットし（Ｓ１０９）、原稿を１枚読み取る（Ｓ１１０）。続いてｎ＝Ｎを判断し（Ｓ１１１）、ｎ＝Ｎで無ければ、次の原稿も同じ部であるのでｎ＝ｎ＋１をセットして（Ｓ１１２）原稿を読み取ることなく搬送、排出し（Ｓ１１３）、Ｓ１１１に戻る。Ｓ１１１でｎ＝Ｎであれば、次の原稿は、部が変わるので次のステップに進む。次のＳ１１４では、ＤＦに原稿があるかを判断し、有ればＳ１０９に戻り次の部の読み取りを行い、無ければこれら読み取られた画像をその他の設定に従い出力して（Ｓ１０３）処理は終了する。
【００３４】
【発明の効果】
本願第１の発明を用いれば、複数枚からなる原稿の構成を入力することにより、内容の重複する画像を読み取ることなく１組の画像データを得ることができる。
【００３５】
本願第２の発明を用いれば、複数枚からなる原稿の構成はグループであるので、同一ページのグループは読み取らない。
【００３６】
本願第３の発明を用いれば、第２の発明においては、グループの構成は、グループであることと１グループの枚数のみを入力するだけで良い。
【００３７】
本願第４の発明を用いれば、複数枚からなる原稿の構成を入力することにより、内容の重複する画像を読み取ることなく１組の印刷物を得ることができる。
【００３８】
本願第５の発明を用いれば、複数枚からなる原稿の構成はグループであるので、同一ページのグループは読み取らない。
【００３９】
本願第６の発明を用いれば、第２の発明においては、グループの構成は、グループであることと１グループの枚数のみを入力するだけで良い。
【図面の簡単な説明】
【図１】本願発明を採用する複合装置及び周辺機器のブロック図である。
【図２】本願発明を採用する複合装置のコピー機能における操作表示部の概略図である。
【図３】本願発明を採用する複合装置の機能リスト画面の概略図である。
【図４】本願発明を採用する複合装置の原稿構成画面（設定なし）の概略図である。
【図５】本願発明を採用する複合装置の原稿構成画面（グループ）の概略図である。
【図６】本願発明を採用する複合装置の原稿構成画面（ソート）の概略図である。
【図７】本願発明を採用する複合装置の処理フローである。
【図８】従来技術、及び本願発明を採用する複合装置でのグループモードでコピーされた原稿をコピーする場合の概略図である。
【符号の説明】
１；複合装置
２；ＣＰＵ
３；ＲＯＭ
４；ＲＡＭ
５；メール作成手段
６；プリンタコントローラ
７；プリンタ部
８；後処理装置要Ｉ／Ｆ
９；後処理装置
１０；操作表示部
１１；スキャナＩ／Ｆ
１２；スキャナ部
１３；ＤＦ
１４；バッファーメモリ
１５；ビットマップメモリ
１６；ＣＯＤＥＣ
１７；モデム
１８；ＮＣＵ
１９；公衆回線
２０；ネットワークＩ／Ｆ
２１；バス
２２；ネットワーク
２３；プリンタ
２４、２５；ＰＣ
２６；相手方ファクシミリ
【図１】
2004180210.tif 000003
【図２】
2004180210.tif 000004
【図３】
2004180210.tif 000005
【図４】
2004180210.tif 000006
【図５】
2004180210.tif 000007
【図６】
2004180210.tif 000008
【図７】
2004180210.tif 000009
【図８】
2004180210.tif 000010